(57)【要約】例えばブラジャー等の乳房支持装置のためのアンダーカップ挿入部材（１０）が開示されている。アンダーカップ挿入部材（１０）は、主部（１２）を含んでおり、この主部（１０）は、細長い形状であって湾曲しており、支持されるべき乳房におおむね適合するように形成されている。アンダーカップ挿入部材（１０）は、プラスチック材料で構成されている。
2005520944.tif 000002
【特許請求の範囲】
【請求項１】
乳房支持装置用のアンダーカップ挿入部材であって、主部を含んでおり、
前記主部は、細長い形状であって湾曲しており、支持されるべき乳房におおむね適合するように形成されており、
前記アンダーカップ挿入部材は、プラスチック材料で構成されている
アンダーカップ挿入部材。
【請求項２】
請求項1に記載されたアンダーカップ挿入部材であって、
前記プラスチック材料は、乳房を支持し、かつ、前記装置を開状態に維持できるものである、
アンダーカップ挿入部材。
【請求項３】
請求項1または２に記載されたアンダーカップ挿入部材であって、
前記アンダーカップ挿入部材は、前記乳房支持装置のカップの下に配置できるものであり、前記カップを開状態に維持するように構成されている
アンダーカップ挿入部材。
【請求項４】
記載されたアンダーカップ挿入部材であって、
前記主部は、ワイヤを含んでいる、
アンダーカップ挿入部材。
【請求項５】
請求項４に記載されたアンダーカップ挿入部材であって、
前記主部は、アンダーワイヤを含んでいる、
アンダーカップ挿入部材。
【請求項６】
請求項１乃至５の何れかに記載されたアンダーカップ挿入部材であって、
前記主部は、変形できるように、充分な可撓性及び弾性を備えており、これにより、前記アンダーカップ挿入部材は、変形の後、原形に復帰できる
アンダーカップ挿入部材。
【請求項７】
請求項１乃至６の何れかに記載されたアンダーカップ挿入部材であって、
前記プラスチック材料は、アセタール ポリマーである、
アンダーカップ挿入部材。
【請求項８】
請求項７に記載されたアンダーカップ挿入部材であって、
前記プラスチック材料は、アセタール ホモポリマーである、
アンダーカップ挿入部材。
【請求項９】
請求項７に記載されたアンダーカップ挿入部材であって、
前記プラスチック材料は、アセタール コポリマーである、
アンダーカップ挿入部材。
【請求項１０】
請求項１乃至９の何れかに記載されたアンダーカップ挿入部材であって、
前記プラスチック材料は、樹脂を含む、
アンダーカップ挿入部材。
【請求項１１】
請求項１乃至６の何れかに記載されたアンダーカップ挿入部材であって、
前記プラスチック材料は、熱可塑性ポリエステル、熱可塑性ポリエステルエラストマー及び／または液晶ポリマーであってもよい、
アンダーカップ挿入部材。
【請求項１２】
請求項１乃至１１の何れかに記載されたアンダーカップ挿入部材であって、
前記プラスチック材料は、フィラーもしくは補強材を含んでおり、前記フィラーもしくは補強材は、含有量が、前記プラスチック材料の約３０％（重量／重量）以下である、
アンダーカップ挿入部材。
【請求項１３】
請求項１２に記載されたアンダーカップ挿入部材であって、
前記フィラーもしくは補強材は、含有量が、前記プラスチック材料の約２０％（重量／重量）以下である、
アンダーカップ挿入部材。
【請求項１４】
請求項１２または１３に記載されたアンダーカップ挿入部材であって、
前記フィラーもしくは補強材は、含有量が、実質的に前記プラスチック材料の１０％（重量／重量）である、
アンダーカップ挿入部材。
【請求項１５】
請求項１乃至１４の何れかに記載されたアンダーカップ挿入部材であって、
細長い形状の前記主部は、丸くなっている縁と、おおよそ楕円形状の断面とを有しており、前記主部の反対端双方が丸くなっている、
アンダーカップ挿入部材。
【請求項１６】
請求項１乃至１５の何れかに記載されたアンダーカップ挿入部材であって、
前記主部は、外側領域を含んでおり、
前記外側領域は、第１、第２の支持部分と、これらより細い形状であり、前記第１、第２の支持部分の間で延びている接続部分とを備えた断面を有している、
アンダーカップ挿入部材。
【請求項１７】
請求項１５に記載されたアンダーカップ挿入部材であって、
前記外側領域は、おおよそ砂時計のようにくびれた形状となっている断面を有する、
アンダーカップ挿入部材。
【請求項１８】
請求項１５または１６に記載されたアンダーカップ挿入部材であって、
前記主部は、内側領域を含んでおり、
前記内側領域は、前記外側領域から延びており、おおよそ楕円形状である、
アンダーカップ挿入部材。
【請求項１９】
請求項１乃至１８の何れかに記載されたアンダーカップ挿入部材であって、
前記主部は突出部材を備えており、これにより、前記アンダーカップ挿入部材を前記乳房支持装置に縫い込むことができる、
アンダーカップ挿入部材。
【請求項２０】
請求項１８に記載されたアンダーカップ挿入部材であって、
前記突出部材のそれぞれは、おおよそ平らな部分を含んでおり、前記平らな部分は、前記主部から外側に延びている、
アンダーカップ挿入部材。
【請求項２１】
請求項１８または１９に記載されたアンダーカップ挿入部材であって、
前記突出部材は、前記主部の反対側双方から延びている、
アンダーカップ挿入部材。
【請求項２２】
請求項１８、１９または２０に記載されたアンダーカップ挿入部材であって、
前記突出部材は、前記主部の少なくとも一端から延びている、
アンダーカップ挿入部材。
【請求項２３】
請求項２２に記載されたアンダーカップ挿入部材であって、
前記突出部材は、前記主部の両端から延びている、
アンダーカップ挿入部材。
【請求項２４】
請求項２２または２３に記載されたアンダーカップ挿入部材であって、
前記突出部材は、おおよそ円形状である、
アンダーカップ挿入部材。
【請求項２５】
請求項１８、１９または２０に記載されたアンダーカップ挿入部材であって、
前記突出部材は、実質上、前記主部の長さにわたり延びている、
アンダーカップ挿入部材。
【請求項２６】
アンダーカップ挿入部材を備える乳房支持装置であって、
前記アンダーカップ挿入部材は、請求項１乃至２５の何れかに記載されたものである、
乳房支持装置。
【請求項２７】
請求項２６に記載された乳房支持装置であって、衣料品の態様となっている乳房支持装置。
【請求項２８】
請求項２５または２６に記載された乳房支持装置であって、乳房支持用下着の態様となっている乳房支持装置。
【請求項２９】
請求項２５、２６または２７に記載された乳房支持装置であって、ブラジャーの態様となっている乳房支持装置。
【請求項３０】
新規事項、または、新規事項を含む組み合わせであって、
請求項１乃至２９の何れかと同一の発明の範囲に含まれるか否かにかかわらず、または、請求項１乃至２９の何れかと同一の発明に関連するか否かにかかわらず、本明細書に開示されている任意の新規事項または組み合わせ。
【発明の詳細な説明】
【技術分野】
【０００１】
本発明は、アンダーカップ挿入部材(undercup insert members)に関する。本発明は、特に、ブラジャー用のアンダーカップ挿入部材に関するが、これに限定されることはない。
【背景技術】
【０００２】
ブラジャーは、カップの形状を保持するためのアンダーカップ・ワイヤー挿入物を用いて作製される。更に、この挿入物によって乳房が支持されることとなる。この挿入物には、塗料または塗料被覆がすり減り、該挿入物が錆びて見苦しい染みができるかもしれないという欠点がある。
【発明の開示】
【０００３】
本発明の１つの態様では、乳房支持装置(breast support arrangement)用のアンダーカップ挿入部材が提供される。前記アンダーカップ挿入部材は、主部を含んでいる。前記主部は、細長い形状であって湾曲しており、支持されるべき乳房におおむね適合するように形成されている。前記アンダーカップ挿入部材は、プラスチック材料で構成されている。
【０００４】
好ましくは、前記乳房支持装置は、例えば、ブラジャーなどの乳房支持用下着であるが、例えばビキニトップといった、水着の一部分などの、別の乳房支持用衣料品であってもよい。
【０００５】
好ましくは、前記プラスチック材料は、乳房を支持し、かつ、前記装置を開状態(open)に維持できるものである。好ましくは、前記アンダーカップ挿入部材は、前記乳房支持装置のカップの下に配置できるものであり、前記カップを開状態に維持するように構成されていてもよい。
【０００６】
前記主部は、好ましくはワイヤ(wire)、適切にはアンダーワイヤ(underwire)を含んでいる。
【０００７】
好ましくは、前記主部は、洗濯されたときなどに変形できるように、充分な可撓性を備えており、これにより、前記アンダーカップ挿入部材は、原形に復帰できる。
【０００８】
望ましくは、前記プラスチック材料は高分子材料(polymeric material)である。好ましくは、前記プラスチック材料はアセタール ポリマー(acetal polymer)であり、有利にはアセタール ホモポリマー(acetal homopolymer)である。
【０００９】
もう一つの選択肢としては、前記プラスチック材料はアセタール コポリマー(acetal copolymer)である。前記プラスチック材料は樹脂(resin)であってもよい。１つの適切なプラスチック材料は、商標Delrinとして販売されており、この商標は、E.I.デュポン社(E.I. du Pont de Nemours and Company)の登録商標である。
【００１０】
前記プラスチック材料は、可撓性及び／または弾性材料(flexible and/or resilient material)であってもよい。前記プラスチック材料は、熱可塑性ポリエステル(thermoplastic polyester)、熱可塑性ポリエステルエラストマー(thermoplastic polyester elastomer)及び／または液晶ポリマー(liquid crystal polymer)であってもよい。前記プラスチック材料は、フィラーもしくは補強材(reinforcement)を含んでいてもよく、前記フィラーもしくは補強材はガラス状であり得る。前記フィラーもしくは補強材は、前記プラスチック材料の約１０％（重量／重量）(w/w)を占めていてもよく、最大で、前記プラスチック材料の約２０％（重量／重量）まで、または前記プラスチック材料の約３０％（重量／重量）まで占めていてもよい。適切なプラスチック材料としては、Ticona社から商標VECTRA、CELANEX、RITEFLEXとして販売されているものを挙げることができる。
【００１１】
細長い形状の前記主部は、好ましくは、丸くなっている縁を有しており、１つの実施例では、おおよそ楕円形状の断面(profile)を有していてもよい。他の実施例では、前記主部は、他の適切な任意の形状の断面を有していてもよい。前記主部の反対端双方が丸くなっていてもよい。
【００１２】
１つの実施例では、少なくとも一端、好ましくは反対端双方が、突出部材(lug member)を備えており、これにより、前記アンダーカップ挿入部材を前記乳房支持装置に縫い込むことができる。前記突出部材のそれぞれは、おおよそ平らな部分を含んでいてもよく、前記平らな部分は、前記主部から外側に延びている。前記平らな部分は、おおよそ円形状であってもよい。好ましくは、前記突出部材は、前記主部の反対側双方から延びている。
【００１３】
もう1つの実施例では、前記主部は、次のような外側領域を含んでいてもよい。前記外側領域は、第１、第２の支持部分と、これらより細い形状であり、前記第１、第２の支持部分の間で延びている接続部分とを備えている。好ましくは、前記外側領域は、砂時計のようにくびれた形状(hour glass shape)の断面を有している。
【００１４】
好ましくは、前記主部は、内側領域を含んでおり、前記内側領域は、前記外側領域から延びていてもよい。前記内側領域は、おおよそ楕円形状であってもよい。
【００１５】
前記主部は、上述したような外側領域と、上述したような突出部材とを有していてもよい。
【００１６】
もう一つの選択肢として、前記突出部材は、実質上、前記主部の長さにわたり延びていてもよい。
【００１７】
次に、添付図面を参照し、本発明の実施例を、単なる例として説明する。
【発明を実施するための最良の形態】
【００１８】
図１及び図２を参照すると、ブラジャー用のアンダーカップ挿入部材１０が示されている。アンダーカップ挿入部材１０は、ブラジャーのカップのためのアンダーワイヤの態様となっている。挿入部材１０は、主部１２を含んでおり、主部１２は、細長い形状であって湾曲しており、プラスチック材料で構成されている。挿入部材１０は、支持されるべき乳房の寸法及び形状に適合するように湾曲している。挿入部材１０は、ブラジャーのカップ下に備えられるヘム(hem)に縫い込まれ、これにより、乳房が支持されることとなる。
【００１９】
主部１２は、成形(moulding)によって形成され、おおよそ楕円形状の断面を有する。幾つかの実施例では、断面が、腎臓のような形状(kidney shape)となっていてもよい。主部１２は、丸くなっている反対端双方１４、１６を有する。
【００２０】
好ましい実施例において主部１２がおおよそ楕円形状の断面を有し、かつ、丸くなっている両端を有する旨の条件によれば、挿入部材１０がブラジャーに突き刺さる恐れを低減できるといった利点が得られる。
【００２１】
アンダーカップ挿入部材１０は、次のような適切なプラスチック材料、すなわち、乳房を支持するために充分な剛性と、挿入部材１０が使用及び洗濯中、曲がり及び捻じれを生じ、その後、原形に復帰するために充分な可撓性とを兼ね備えたプラスチック材料で構成される。このように適切な材料の１つは、例えば商標Delrinとして販売されているようなアセタール ホモポリマー レジン(acetal homopolymer resin)である。商標Delrinは、デュポン社(E.I. du Pont de Nemours and Company)の登録商標である。
【００２２】
本発明のもう一つの実施例が、図３、図３Ａ及び図３Ｂに示されている。この実施例は、図１及び図２に示された実施例とおおよそ同様であり、同じ特徴を備えている。これらの特徴には、同じ参照番号が付されている。図３に示された実施例は、図１及び図２に示された特徴のほかに、突縁部材(flange member)１８、２０を備えている。これらの突縁部材１８、２０は、主部１２の両端１４、１６に設けられている。突縁部材は、主部１２と同じ材料で構成してもよい。もう一つの選択肢として、突縁部材は、ゴム被覆材(rubberised material)で構成することもでき、このゴム被覆材は、主部１２を構成する材料にゴム被覆を施したものであってもよい。突縁部材１８、２０によって、挿入部材をブラジャーに縫い込むことができる。図３Ａ及び図３Ｂからわかるように、主部１２の断面は、おおよそ腎臓のような形状となっている。
【００２３】
幾つかの実施例では、突縁部材１８、２０は、図３中の破線で表され、かつ、参照番号２２で示されているように、実質上、主部１２の全長にわたり延びており、これによって、主部１２の長さに沿って縫い付ける(stitching)ことができる。これは、特に、スポーツブラジャーでの使用に適していると考えられ、これにより、挿入部材を、実質上、主部１２の全長にわたってブラジャーに縫い込むことができる。
【００２４】
もう一つの実施例が、図４乃至図８に示されている。この実施例は、図１乃至図３Ｂに示された実施例とおおよそ同様であり、同じ特徴の多くを備えている。これらの特徴には、同じ参照番号が付されている。
【００２５】
図４乃至図８に示された実施例は、図１乃至図３Ｂに示された実施例との対比において、主部１２が２つの領域、すなわち、第１もしくは外側領域３０と、第２もしくは内側領域３２とを有する点で異なっている。図４乃至図７に示された挿入部材１０は、外側領域３０が乳房の外側領域に隣接して配置され、かつ、内側領域３０が乳房の内側領域に隣接して配置されるように、ブラジャーに縫い込まれる。
【００２６】
外側領域３０は、図６に示された断面を有しており、この断面は、第１、第２の支持部分３４、３６を有している。第１、第２の支持部分３４、３６は、細長い形状であり、互いに反対側にあり、接続部分３８を介して互いに接続されている。接続部分３８は、外側領域３０の断面が図示のようにおおよそ砂時計のようにくびれた形状となるように、接続部分３８の幅が支持部分３４、３６よりも狭くなっている。
【００２７】
外側領域３０が、砂時計のようにくびれた形状の断面を有する旨の条件によれば、ブラジャーが着用されたときに、外側部分が捻じれることができるといった利点が得られ、これにより、美観が向上し、着用者にとってより良い着心地が得られる。
【００２８】
図５に示すように、主部１２の外側領域３２は、おおよそ楕円形状の断面を有する。
【００２９】
以上説明したように、ブラジャーのための挿入物に関する実施例について、プラスチック材料で構成される幾つかの実施例、及び、楕円形状の断面と、丸くなっている両端とを有する好ましい実施例がある。従って、好ましい実施例は、錆びまたは腐食を生じないという利点を有しており、更に、従来技術の挿入部材に付随していた次のような問題、すなわち、継続的な使用の後、被覆がすり減って金属素地が現れると、着用者の身体を突き刺してしまう恐れがあるといった問題を解決できるという利点を有する。しかも、従来技術の挿入部材には、例えば空港などにおいて金属探知機で検知され、着用者が困惑することがあるといった欠点がある。アンダーカップ挿入部材がプラスチック材料で構成される旨の条件によれば、このような問題を解決できる。
【００３０】
様々な変形例が、本発明の範囲から逸脱することなしに構成される。例えば、主部は、おおよそ円形状の断面を有してもよい。更に、挿入部材は、他の乳房支持装置の態様、例えば、水着で用いられる。
【００３１】
挿入部材の寸法及びサイズが、ブラジャーで支持されるべき乳房の寸法に応じて変わり得ることは理解されよう。
【００３２】
上述した本明細書では、本発明の、特に重要だと考えられる特徴が注目されるように努めているけれども、本明細書で言及され、かつ／または、図面に示されている特許可能な特徴及び特徴の組み合わせについては、そこで特に強調されているか否かにかかわらず、何れも、出願人が保護を求めている旨、認識しておくべきである。
【図面の簡単な説明】
【００３３】
【図１】アンダーカップ挿入部材の正面図である。
【図１Ａ】図１に示されたアンダーカップ挿入部材の端面図である。
【図２】図１に示されたアンダーカップ挿入部材の一部分を示す斜視図である。
【図３】アンダーカップ挿入部材のもう一つの実施例を示す正面図である。
【図３Ａ】図３に示されたアンダーカップ挿入部材の端面図である。
【図３Ｂ】図３のＢ−Ｂ線に沿った図である。
【図４】アンダーカップ挿入部材のもう一つの実施例を示す正面図である。
【図５】図４のＶ−Ｖ線に沿った図である。
【図６】図５のＶＩ−ＶＩ線に沿った図である。
【図７】図４に示されたアンダーカップ挿入部材の側面図である。
【図８】図４に示されたアンダーカップ挿入部材の平面図(top view)である。
【図１】
2005520944.tif 000003
【図１Ａ】
2005520944.tif 000004
【図３】
2005520944.tif 000005
【図３Ａ】
2005520944.tif 000006
【図３Ｂ】
2005520944.tif 000007
【図２】
2005520944.tif 000008
【図４】
2005520944.tif 000009
【図５】
2005520944.tif 000010
【図６】
2005520944.tif 000011
【図７】
2005520944.tif 000012
【図８】
2005520944.tif 000013
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
乳房支持装置用のアンダーカップ挿入部材であって、主部を含んでおり、
前記主部は、細長い形状であって湾曲しており、支持されるべき乳房におおむね適合するように形成されており、
前記アンダーカップ挿入部材は、プラスチック材料で構成されている
アンダーカップ挿入部材。
【請求項２】
請求項1に記載されたアンダーカップ挿入部材であって、
前記プラスチック材料は、乳房を支持し、かつ、前記乳房支持装置を開状態に維持できるものである、
アンダーカップ挿入部材。
【請求項３】
請求項1または２に記載されたアンダーカップ挿入部材であって、
前記アンダーカップ挿入部材は、前記乳房支持装置のカップの下に配置できるものであり、前記カップを開状態に維持するように構成されている
アンダーカップ挿入部材。
【請求項４】
請求項１乃至３の何れかに記載されたアンダーカップ挿入部材であって、
前記主部は、ワイヤを含んでいる、
アンダーカップ挿入部材。
【請求項５】
請求項４に記載されたアンダーカップ挿入部材であって、
前記主部は、アンダーワイヤを含んでいる、
アンダーカップ挿入部材。
【請求項６】
請求項１乃至５の何れかに記載されたアンダーカップ挿入部材であって、
前記主部は、変形できるように、充分な可撓性及び弾性を備えており、これにより、前記アンダーカップ挿入部材は、変形の後、原形に復帰できる
アンダーカップ挿入部材。
【請求項７】
請求項１乃至６の何れかに記載されたアンダーカップ挿入部材であって、
前記プラスチック材料は、アセタール ポリマーである、
アンダーカップ挿入部材。
【請求項８】
請求項７に記載されたアンダーカップ挿入部材であって、
前記プラスチック材料は、アセタール ホモポリマーである、
アンダーカップ挿入部材。
【請求項９】
請求項７に記載されたアンダーカップ挿入部材であって、
前記プラスチック材料は、アセタール コポリマーである、
アンダーカップ挿入部材。
【請求項１０】
請求項１乃至９の何れかに記載されたアンダーカップ挿入部材であって、
前記プラスチック材料は、樹脂を含む、
アンダーカップ挿入部材。
【請求項１１】
請求項１乃至６の何れかに記載されたアンダーカップ挿入部材であって、
前記プラスチック材料は、熱可塑性ポリエステル、熱可塑性ポリエステルエラストマー及び／または液晶ポリマーであってもよい、
アンダーカップ挿入部材。
【請求項１２】
請求項１乃至１１の何れかに記載されたアンダーカップ挿入部材であって、
前記プラスチック材料は、フィラーもしくは補強材を含んでおり、前記フィラーもしくは補強材は、含有量が、前記プラスチック材料の約３０％（重量／重量）以下である、
アンダーカップ挿入部材。
【請求項１３】
請求項１２に記載されたアンダーカップ挿入部材であって、
前記フィラーもしくは補強材は、含有量が、前記プラスチック材料の約２０％（重量／重量）以下である、
アンダーカップ挿入部材。
【請求項１４】
請求項１２または１３に記載されたアンダーカップ挿入部材であって、
前記フィラーもしくは補強材は、含有量が、実質的に前記プラスチック材料の１０％（重量／重量）である、
アンダーカップ挿入部材。
【請求項１５】
請求項１乃至１４の何れかに記載されたアンダーカップ挿入部材であって、
細長い形状の前記主部は、丸くなっている縁と、おおよそ楕円形状の断面とを有しており、前記主部の反対端双方が丸くなっている、
アンダーカップ挿入部材。
【請求項１６】
請求項１乃至１５の何れかに記載されたアンダーカップ挿入部材であって、
前記主部は、外側領域を含んでおり、
前記外側領域は、第１、第２の支持部分と、これらより細い形状であり、前記第１、第２の支持部分の間で延びている接続部分とを備えた断面を有している、
アンダーカップ挿入部材。
【請求項１７】
請求項１６に記載されたアンダーカップ挿入部材であって、
前記外側領域は、おおよそ砂時計のようにくびれた形状となっている断面を有する、
アンダーカップ挿入部材。
【請求項１８】
請求項１６または１７に記載されたアンダーカップ挿入部材であって、
前記主部は、内側領域を含んでおり、
前記内側領域は、前記外側領域から延びており、おおよそ楕円形状である、
アンダーカップ挿入部材。
【請求項１９】
請求項１乃至１８の何れかに記載されたアンダーカップ挿入部材であって、
前記主部は突出部材を備えており、これにより、前記アンダーカップ挿入部材を前記乳房支持装置に縫い込むことができる、
アンダーカップ挿入部材。
【請求項２０】
請求項１９に記載されたアンダーカップ挿入部材であって、
前記突出部材のそれぞれは、おおよそ平らな部分を含んでおり、前記平らな部分は、前記主部から外側に延びている、
アンダーカップ挿入部材。
【請求項２１】
請求項１９または２０に記載されたアンダーカップ挿入部材であって、
前記突出部材は、前記主部の反対側双方から延びている、
アンダーカップ挿入部材。
【請求項２２】
請求項１９、２０または２１に記載されたアンダーカップ挿入部材であって、
前記突出部材は、前記主部の少なくとも一端から延びている、
アンダーカップ挿入部材。
【請求項２３】
請求項２２に記載されたアンダーカップ挿入部材であって、
前記突出部材は、前記主部の両端から延びている、
アンダーカップ挿入部材。
【請求項２４】
請求項２２または２３に記載されたアンダーカップ挿入部材であって、
前記突出部材は、おおよそ円形状である、
アンダーカップ挿入部材。
【請求項２５】
請求項１９、２０または２１に記載されたアンダーカップ挿入部材であって、
前記突出部材は、実質上、前記主部の長さにわたり延びている、
アンダーカップ挿入部材。
【請求項２６】
アンダーカップ挿入部材を備える乳房支持装置であって、
前記アンダーカップ挿入部材は、請求項１乃至２５の何れかに記載されたものである、
乳房支持装置。
【請求項２７】
請求項２６に記載された乳房支持装置であって、衣料品の態様となっている乳房支持装置。
【請求項２８】
請求項２６または２７に記載された乳房支持装置であって、乳房支持用下着の態様となっている乳房支持装置。
【請求項２９】
請求項２６、２７または２８に記載された乳房支持装置であって、ブラジャーの態様となっている乳房支持装置。
【手続補正２】
【補正対象書類名】明細書
【補正対象項目名】００３３
【補正方法】変更
【補正の内容】
【００３３】
【図１】アンダーカップ挿入部材の正面図である。
【図１Ａ】図１に示されたアンダーカップ挿入部材の端面図である。
【図２】図１に示されたアンダーカップ挿入部材の一部分を示す斜視図である。
【図３】アンダーカップ挿入部材のもう一つの実施例を示す正面図である。
【図３Ａ】図３に示されたアンダーカップ挿入部材の端面図である。
【図３Ｂ】図３のＢ−Ｂ線に沿った図である。
【図４】アンダーカップ挿入部材のもう一つの実施例を示す正面図である。
【図５】図４のＶ−Ｖ線に沿った図である。
【図６】図４のＶＩ−ＶＩ線に沿った図である。
【図７】図４に示されたアンダーカップ挿入部材の側面図である。
【図８】図４に示されたアンダーカップ挿入部材の平面図(top view)である。
【国際調査報告】
2005520944.tif 000014
2005520944.tif 000015
2005520944.tif 000016